(57)【要約】【課題】配信の要求数に応じた映像の配信を行うこと。【解決手段】通信制御装置１０１は、第１判定部５０２と、計測部５０３と、制御部５０５とを含む。第１判定部５０２は、各々の伝送装置により閲覧要求が他の伝送装置へ送信されたか否かを判定する。計測部５０３は、各々の伝送装置により他の伝送装置へ送信されなかった閲覧要求の数を計測する。制御部５０５は、計測部５０３の計測結果に基づいて、各々の伝送装置に接続されたエンコーダからの映像の配信を制御する。【選択図】図５
2018160788.tif 000002
【特許請求の範囲】
【請求項１】
複数のエンコーダからの映像の配信を制御する通信制御プログラムにおいて、
前記複数のエンコーダに含まれるエンコーダに対する映像の配信の要求を受け付けた場合に、前記複数のエンコーダに接続されたそれぞれの伝送装置において前記映像の配信の要求を他の伝送装置に送信したかどうかを判定し、
前記それぞれの伝送装置において、他の伝送装置に送信しない前記配信の要求の数を計測し、
計測した前記配信の要求の数に基づいて、前記それぞれの伝送装置に接続された前記エンコーダからの映像の配信を制御する、
処理をコンピュータに実行させることを特徴とする通信制御プログラム。
【請求項２】
計測した前記配信の要求の数に基づいて、前記それぞれの伝送装置に接続されたエンコーダから映像を配信する際の映像品質を制御する処理を前記コンピュータに実行させることを特徴とする請求項１に記載の通信制御プログラム。
【請求項３】
計測した前記配信の要求の数に基づいて、前記それぞれの伝送装置に接続されたエンコーダから配信された映像の表示を制御する処理を前記コンピュータに実行させることを特徴とする請求項１または２に記載の通信制御プログラム。
【請求項４】
前記それぞれの伝送装置において、配信の要求をＷＡＮ側ではなく、ＬＡＮ側へ送信した場合に、前記ＬＡＮ側に接続されたエンコーダを前記それぞれの伝送装置に接続されたエンコーダとする処理を前記コンピュータに実行させることを特徴とする請求項１〜３のいずれか一つに記載の通信制御プログラム。
【請求項５】
計測した前記配信の要求の数が所定の値及び／又は所定の割合以上である場合に、前記それぞれの伝送装置に対応付けられたエンコーダから映像を配信する処理を前記コンピュータに実行させることを特徴とする請求項１〜４のいずれか一つに記載の通信制御プログラム。
【請求項６】
前記それぞれの伝送装置の設置地域において災害が発生したか否かを判定し、
前記災害が発生したか否かの判定結果に基づいて、前記それぞれの伝送装置に接続された前記エンコーダからの映像の配信を制御する、
処理を前記コンピュータに実行させることを特徴とする請求項１〜５のいずれか一つに記載の通信制御プログラム。
【請求項７】
複数のエンコーダからの映像の配信を制御する通信制御方法において、
前記複数のエンコーダに含まれるエンコーダに対する映像の配信の要求を受け付けた場合に、前記複数のエンコーダに接続されたそれぞれの伝送装置において前記映像の配信の要求を他の伝送装置に送信したかどうかを判定し、
前記それぞれの伝送装置において、他の伝送装置に送信しない前記配信の要求の数を計測し、
計測した前記配信の要求の数に基づいて、前記それぞれの伝送装置に接続された前記エンコーダからの映像の配信を制御する、
処理をコンピュータが実行することを特徴とする通信制御方法。
【請求項８】
複数のエンコーダからの映像の配信を制御する通信制御装置において、
前記複数のエンコーダに含まれるエンコーダに対する映像の配信の要求を受け付けた場合に、前記複数のエンコーダに接続されたそれぞれの伝送装置において前記映像の配信の要求を他の伝送装置に送信したかどうかを判定する判定部と、
前記それぞれの伝送装置において、他の伝送装置に送信しない前記配信の要求の数を計測する計測部と、
計測した前記配信の要求の数に基づいて、前記それぞれの伝送装置に接続された前記エンコーダからの映像の配信を制御する制御部と、
を有することを特徴とする通信制御装置。
【発明の詳細な説明】
【技術分野】
【０００１】
本発明は、通信制御プログラム、通信制御方法、および通信制御装置に関する。
【背景技術】
【０００２】
従来、各地に設置されたカメラの映像を、ネットワークを介して、マルチキャストによる配信を行い、配信された映像をネットワークに接続された端末装置により閲覧可能な技術がある。関連する従来技術としては、ＵＥカウンタ（ブロードキャストサービスのデータコンテンツ毎の配信端末の数）がゼロとなった場合に、対応するブロードキャストデータの配信を停止するようにした技術がある。また、各エンコーダの位置情報と災害通知サーバから送信される災害位置とをもとに、災害位置に近いエンコーダから順に優先順位を高く設定するようにした技術がある。また、情報配信サーバが配信情報の発生元を基準にして、この配信情報の情報配信優先度を決定するようにした技術がある。
【先行技術文献】
【特許文献】
【０００３】
【特許文献１】特開２０１２−１０４９７６号公報
【特許文献２】国際公開第２００５／０４３９１３号
【特許文献３】特開２００９−００５３１０号公報
【発明の概要】
【発明が解決しようとする課題】
【０００４】
しかしながら、従来技術では、配信の要求数に応じた映像の配信を行うことができない場合がある。例えば、配信の要求数が多い映像の配信と、配信の要求数が少ない映像の配信とが重なる場合に、配信の要求数が少ない映像の配信によってネットワークの帯域が使われ、配信の要求数が多い映像を配信する際に帯域を十分に確保できない場合がある。
【０００５】
一つの側面では、本発明は、配信の要求数に応じた映像の配信を行うことができる、通信制御プログラム、通信制御方法、および通信制御装置を提供することを目的とする。
【課題を解決するための手段】
【０００６】
１つの実施態様では、通信制御プログラム、および通信制御方法は、複数のエンコーダに含まれるエンコーダに対する映像の配信の要求を受け付けた場合に、複数のエンコーダに接続されたそれぞれの伝送装置において映像の配信の要求を他の伝送装置に送信したかどうかを判定し、それぞれの伝送装置において、他の伝送装置に送信しない配信の要求の数を計測し、計測した配信の要求の数に基づいて、それぞれの伝送装置に接続されたエンコーダからの映像の配信を制御する。
【０００７】
また、１つの実施態様では、通信制御装置は、複数のエンコーダからの映像の配信を制御する通信制御装置であって、複数のエンコーダに含まれるエンコーダに対する映像の配信の要求を受け付けた場合に、複数のエンコーダに接続されたそれぞれの伝送装置において映像の配信の要求を他の伝送装置に送信したかどうかを判定する判定部と、それぞれの伝送装置において、他の伝送装置に送信しない配信の要求の数を計測する計測部と、計測した配信の要求の数に基づいて、それぞれの伝送装置に接続されたエンコーダからの映像の配信を制御する制御部と、を有する。
【発明の効果】
【０００８】
１つの側面では、本発明は、配信の要求数に応じた映像の配信を行うことが可能になる。
【図面の簡単な説明】
【０００９】
【図１】図１は、実施の形態にかかる通信制御方法の一実施例を示す説明図である。
【図２】図２は、通信制御システム２００の構成例を示す説明図である。
【図３】図３は、通信制御装置１０１のハードウェア構成例を示すブロック図である。
【図４】図４は、伝送装置ｔｄ１のハードウェア構成例を示すブロック図である。
【図５】図５は、通信制御装置１０１の機能的構成例を示すブロック図である。
【図６】図６は、閲覧要求に応じて優先度を動的に決定する場合の一例を示す説明図である。
【図７】図７は、災害情報に応じて優先度を動的に決定する場合の一例を示す説明図である。
【図８】図８は、通信制御装置１０１が行う処理手順の一例を示すフローチャートである。
【発明を実施するための形態】
【００１０】
以下に図面を参照して、本発明にかかる通信制御プログラム、通信制御方法、および通信制御装置の実施の形態を詳細に説明する。
【００１１】
（実施の形態）
図１は、実施の形態にかかる通信制御方法の一実施例を示す説明図である。図１において、カメラｃｒ１〜ｃｒ３は、映像を撮影可能であり、撮影した映像をエンコードするエンコーダである。カメラｃｒ１〜ｃｒ３は、例えば道路や建物の屋上などに設置され、設置場所周辺を撮影する。カメラｃｒ１〜ｃｒ３は、通信装置ｃｄ１〜ｃｄ３と接続され、撮影した映像をエンコードし、エンコードした映像データを通信装置ｃｄ１〜ｃｄ３へ送信する。
【００１２】
通信装置ｃｄ１〜ｃｄ３は、カメラｃｒ１〜ｃｒ３およびネットワークｎｗと接続される。通信装置ｃｄ１〜ｃｄ３は、カメラｃｒ１〜ｃｒ３から受信した映像データをネットワークｎｗ側へ送信したり、ネットワークｎｗ側から受信した情報をカメラｃｒ１〜ｃｒ３へ送信したりする。通信装置ｃｄ１〜ｃｄ３は、例えば伝送装置とすることができる。また、ネットワークｎｗは、例えばＷＡＮ（Ｗｉｄｅ  Ａｒｅａ  Ｎｅｔｗｏｒｋ）とすることができる。
【００１３】
図１において、端末装置Ｔ１〜Ｔ３は、映像データをデコードするデコーダである。端末装置Ｔ１〜Ｔ３は、例えば、映像を表示可能な表示装置や、各々のユーザからの操作を受け付けるための入力デバイスを有する。具体的に、例えば、端末装置Ｔ１〜Ｔ３は、ＰＣ（Ｐｅｒｓｏｎａｌ  Ｃｏｍｐｕｔｅｒ）やテレビ受像機とすることができる。
【００１４】
端末装置Ｔ１〜Ｔ３は、ネットワークｎｗと接続される。端末装置Ｔ１〜Ｔ３は、例えば、カメラｃｒ１〜ｃｒ３により撮影された映像の映像データを、ネットワークｎｗを介して受信する。端末装置Ｔ１〜Ｔ３は、受信した映像データをデコードし、デコードして得られた映像を自装置の表示装置に表示させる。
【００１５】
また、端末装置Ｔ１〜Ｔ３は、自装置の入力デバイスを介して受け付けたユーザの操作に応じて、カメラｃｒ１〜ｃｒ３のうちいずれかのカメラにより撮影された映像の閲覧要求（配信の要求）を、ネットワークｎｗ側へ送信することも可能である。
【００１６】
例えば、端末装置Ｔ１が、カメラｃｒ１により撮影された映像の閲覧要求（以下「閲覧要求ｂｒＴ１」という）をネットワークｎｗ側へ送信したとする。閲覧要求ｂｒＴ１は、ネットワークｎｗを介して、通信装置ｃｄ１へ送信される。通信装置ｃｄ１は、閲覧要求ｂｒＴ１を受信すると、端末装置Ｔ１へ向けて、カメラｃｒ１により撮影された映像の映像データを送信する。これにより、端末装置Ｔ１のユーザは、カメラｃｒ１により撮影された映像を試聴することができる。
【００１７】
同様に、例えば、端末装置Ｔ２が、カメラｃｒ１により撮影された映像の閲覧要求（以下「閲覧要求ｂｒＴ２」という）をネットワークｎｗ側へ送信したとする。閲覧要求ｂｒＴ２は、ネットワークｎｗを介して、通信装置ｃｄ１へ送信される。通信装置ｃｄ１は、閲覧要求ｂｒＴ２を受信すると、端末装置Ｔ２へ向けて、カメラｃｒ１により撮影された映像の映像データを送信する。これにより、端末装置Ｔ２のユーザも、カメラｃｒ１により撮影された映像を試聴することができる。
【００１８】
このようなマルチキャストによる映像の配信を行うシステムでは、各々のカメラにより撮影された映像の需要が一定でない場合がある。すなわち、各々のカメラにより撮影された映像には、システムのユーザ（例えば端末装置Ｔ１〜Ｔ３のユーザ）による需要の高い映像と、システムのユーザによる需要の低い映像とがある場合がある。需要の高い映像は、例えば、多くのユーザが閲覧を希望した映像であり、多くのユーザにとって重要な映像である可能性が高い映像である。具体的に、例えば、災害地域（被災地域）に設置されたカメラにより撮影された映像は、多くのユーザにとって重要な映像（関心がある映像）であり、このような映像は需要が高くなる傾向となる。
【００１９】
ところで、このようなマルチキャストによる映像の配信を行うシステムでは、各々のカメラにより撮影された映像は、限られたネットワークの帯域をそれぞれ使って配信される。このため、需要の高い映像と、需要の低い映像との配信が同時期に発生する場合、需要の低い映像の配信によりネットワークの帯域が使用され、需要の高い映像の配信に必要な帯域を確保できない場合がある。例えば、ネットワークには、狭帯域回線（例えばマイクロ無線区間や１００Ｍｂｐｓ回線区間）を利用している箇所もあり、このような箇所については帯域不足の問題が特に生じ易い。
【００２０】
このため、例えば、特定のカメラにより撮影された映像が他のカメラにより撮影された映像よりも優先的に配信されるように予め設定し、特定のカメラにより撮影された映像を配信するために必要な帯域を確保する方法が考えられる。しかしながら、この方法は、各々のカメラにより撮影された映像の需要が変化する場合、この変化に追従して、動的に優先的に配信される映像を切り替えることができない。したがって、この方法では、需要の高い映像の配信に必要な帯域を確保できない場合がある。
【００２１】
また、例えば、システムの管理者が各々のカメラの設置場所を把握・管理し、需要が高くなりそうな地域（例えば災害が発生した災害地域）に設置されたカメラにより撮影された映像が優先的に配信されるように都度設定するという方法が考えられる。しかしながら、この方法は、システムの管理者によるカメラの設置場所の管理作業が必要となる。カメラの設置場所の管理作業は、カメラの台数の増加に比例して繁雑となる。特に、カメラの増設や設置場所の移動（すなわちシステム構成の変化）が頻繁に行われると、この管理作業には多大な労力を要することになる。
【００２２】
そこで、本実施の形態にかかる通信制御方法は、映像配信する各々のエンコーダを配下とする各々の伝送装置への配信要求が他の伝送装置に転送（送信）されない数に応じて、各々のエンコーダの映像の配信優先度を変える。ここで、伝送装置によって配信要求が他の伝送装置に転送されないのは、配信要求を受信した伝送装置の配下に配信要求の対象となったエンコーダがある場合である。したがって、各々の伝送装置において配信要求が他の伝送装置に転送されない数は、各々の伝送装置における配下のエンコーダを対象とする配信要求の数と見なせる。これにより、本実施の形態にかかる通信制御方法は、配信の要求数が多く高需要なエンコーダの映像を優先的に配信する。
【００２３】
本実施の形態にかかる通信制御方法では、図１に示すように、通信制御装置１０１を設ける。通信制御装置１０１は、カメラｃｒ１〜ｃｒ３からの映像の配信を制御するコンピュータである。通信制御装置１０１は、例えば、サーバとすることができる。通信制御装置１０１は、ネットワークｎｗに接続され、ネットワークｎｗを介して、通信装置ｃｄ１〜ｃｄ３と双方向に通信可能である。
【００２４】
通信装置ｃｄ１〜ｃｄ３は、受信した閲覧要求が、自装置と接続されたカメラにより撮影された映像の閲覧要求であれば、他の通信装置へ送信しない。一方、通信装置ｃｄ１〜ｃｄ３は、受信した閲覧要求が、自装置と接続されたカメラにより撮影された映像の閲覧要求でなければ、他の通信装置へ送信する。また、通信装置ｃｄ１〜ｃｄ３は、自装置における閲覧要求の送受信履歴を、通信制御装置１０１へ送信する（図１中符号（１）の点線矢印参照）。
【００２５】
通信制御装置１０１は、通信装置ｃｄ１〜ｃｄ３から受信した閲覧要求の送受信履歴から、通信装置ごとの、他の通信装置へ送信しなかった閲覧要求数を計測する（図１中符号（２）参照）。例えば、通信装置ｃｄ１が他の通信装置へ送信しない閲覧要求は、通信装置ｃｄ１と接続されたカメラｃｒ１により撮影された映像の閲覧要求と見なせる。したがって、例えば、通信装置ｃｄ１における他の通信装置へ送信しなかった閲覧要求数が多かった場合、これは通信装置ｃｄ１と接続されたカメラｃｒ１により撮影された映像の閲覧要求数が多いことを意味する。すなわち、カメラｃｒ１により撮影された映像が需要の高い映像となる。
【００２６】
このため、通信制御装置１０１は、通信装置ｃｄ１における閲覧要求数が所定の閾値よりも大きかった場合、カメラｃｒ１から配信される映像を優先的に配信する。例えば、カメラｃｒ１から配信される映像は需要が高い映像、すなわち、多くのユーザにとって重要な映像である可能性が高い映像であるので、通信制御装置１０１は、カメラｃｒ１の映像品質を高める旨の指示を、通信装置ｃｄ１へ送信する（図１中符号（３）参照）。
【００２７】
通信装置ｃｄ１は、カメラｃｒ１の映像品質を高める旨の指示を通信制御装置１０１から受信すると、映像品質を高める旨の指示をカメラｃｒ１へ送信する。カメラｃｒ１は、映像品質を高める旨の指示を受信すると、例えば、エンコード時における映像データのビットレートを高める。これにより、カメラｃｒ１から配信される映像が高画質化する（図１中符号（４）参照）。なお、ビットレートを高める例としては、画像サイズを大きくしたり、フレームレートを大きくしたりすることが挙げられる。
【００２８】
また、この場合、通信制御装置１０１は、映像品質を下げる旨の指示を、通信装置ｃｄ１以外の通信装置ｃｄ２，ｃｄ３へ送信してもよい。通信装置ｃｄ２，ｃｄ３は、映像品質を下げる旨の指示を通信制御装置１０１から受信すると、映像品質を下げる旨の指示を自装置に接続されたカメラへ送信する。映像品質を下げる旨の指示を受信したカメラは、例えば、エンコード時における映像データのビットレートを下げる。これにより、映像品質を下げる旨の指示を受信したカメラから配信される映像のデータサイズを小さくすることができる。そして、映像品質を下げる旨の指示を受信したカメラからの映像を配信するために必要なネットワークｎｗ上の帯域を少なくすることができる。
【００２９】
また、通信制御装置１０１は、カメラｃｒ１から配信される映像を表示させる旨の指示を、端末装置Ｔ１〜Ｔ３へ送信してもよい（図１中符号（５）の点線矢印参照）。これにより、端末装置Ｔ１〜Ｔ３の表示装置にはカメラｃｒ１から配信された映像Ｖｃｒ１が表示される。そして、端末装置Ｔ１〜Ｔ３のユーザは、需要の高い映像Ｖｃｒ１を試聴することができる。
【００３０】
また、通信制御装置１０１は、カメラｃｒ１から配信される映像を拡大して表示させる旨の指示を、端末装置Ｔ１〜Ｔ３へ送信してもよい。例えば、図１に示す例では、端末装置Ｔ３が拡大表示の指示を受信しており、これによって、映像Ｖｃｒ１が拡大して表示されている。
【００３１】
また、通信制御装置１０１は、カメラｃｒ１から配信される映像の表示時間を長くする旨の指示を端末装置Ｔ１〜Ｔ３へ送信してもよい。例えば、端末装置Ｔ１〜Ｔ３は、カメラｃｒ１〜ｃｒ３のそれぞれから配信された映像が、所定の表示時間（例えば５秒間）ごとに順次表示されるように、閲覧要求を自動的に送信することもできる。端末装置Ｔ１〜Ｔ３は、例えば、カメラｃｒ１から配信される映像の表示時間を長くする旨の指示を受信すると、カメラｃｒ１から配信される映像の表示時間については１５秒間とする。
【００３２】
このように、本実施の形態の通信制御方法では、需要の高い映像が変化する場合であっても、この変化に追従して優先的に配信する映像を切り替えることができ、限られたネットワークの帯域を利用して効率的な映像の配信を行うことができる。
【００３３】
以下、通信制御装置１０１を含んで形成される通信制御システムの詳細について説明する。
【００３４】
（通信制御システム２００の構成例）
図２は、通信制御システム２００の構成例を示す説明図である。図２に示すように、通信制御システム２００は、通信制御装置１０１と、エンコーダｅｎｃ１〜ｅｎｃ３と、デコーダｄｅｃ１〜ｄｅｃ３と、伝送装置ｔｄ１〜ｔｄ６とを含む。
【００３５】
エンコーダｅｎｃ１〜ｅｎｃ３は、例えば、図１に示したカメラｃｒ１〜ｃｒ３に相当する。デコーダｄｅｃ１〜ｄｅｃ３は、例えば、図１に示した端末装置Ｔ１〜Ｔ３に相当する。伝送装置ｔｄ１〜ｔｄ６は、例えば、図１に示した通信装置ｃｄ１〜ｃｄ３に相当する。
【００３６】
通信制御装置１０１および伝送装置ｔｄ１〜ｔｄ６は、双方向に通信可能な状態で、ＷＡＮ（Ｗｉｄｅ  Ａｒｅａ  Ｎｅｔｗｏｒｋ）２１０によって接続される。エンコーダｅｎｃ１と伝送装置ｔｄ１とは、ルータｒｔ１を介して、双方向に通信可能な状態で、ＬＡＮ（Ｌｏｃａｌ  Ａｒｅａ  Ｎｅｔｗｏｒｋ）２２１によって接続される。同様に、エンコーダｅｎｃ２と伝送装置ｔｄ２とは、ルータｒｔ２を介して、ＬＡＮ２２２によって接続される。エンコーダｅｎｃ３と伝送装置ｔｄ３とは、ルータｒｔ３を介して、ＬＡＮ２２３によって接続される。
【００３７】
また、デコーダｄｅｃ１と伝送装置ｔｄ４とは、ルータｒｔ４を介して、双方向に通信可能な状態で、ＬＡＮ２２４によって接続される。同様に、デコーダｄｅｃ２と伝送装置ｔｄ５とは、ルータｒｔ５を介して、ＬＡＮ２２５によって接続される。デコーダｄｅｃ３と伝送装置ｔｄ６とは、ルータｒｔ６を介して、ＬＡＮ２２６によって接続される。
【００３８】
なお、以下の説明において、伝送装置ｔｄ１のＬＡＮ２２１側に接続されていることを「伝送装置ｔｄ１の配下にある」といい、伝送装置ｔｄ１のＬＡＮ２２１側に接続されていないことを「伝送装置ｔｄ１の配下にない」という場合がある。同様に、伝送装置ｔｄｉ（ｉ＝２，３，…６）のＬＡＮ２２ｉ側に接続されていることを「伝送装置ｔｄｉの配下にある」といい、伝送装置ｔｄｉのＬＡＮ２２ｉ側に接続されていないことを「伝送装置ｔｄｉの配下にない」という場合がある。
【００３９】
エンコーダｅｎｃ１は、例えば、第１の場所に設置されたカメラである。エンコーダｅｎｃ１は、例えば、撮影した映像を、映像符号化方式に従ってエンコードし、映像データを生成する。動画像符号化方式は、例えば、ＭＰＥＧ（Ｍｏｖｉｎｇ  Ｐｉｃｔｕｒｅ  Ｅｘｐｅｒｔ  Ｇｒｏｕｐ）−２や、Ｈ．２６４などがある。ここで、エンコーダｅｎｃ１は、ハードウェアエンコーディングにより、映像データを生成する。ただし、エンコーダｅｎｃ１は、ソフトウェアエンコーディングにより、映像データを生成してもよい。
【００４０】
そして、エンコーダｅｎｃ１は、生成した映像データをパケット化した配信映像情報を、ＬＡＮ２２１（ルータｒｔ１）を介して、伝送装置ｔｄ１へ送信する。伝送装置ｔｄ１は、ＬＡＮ２２１側から受信した配信映像情報の送信先を他の伝送装置（例えば伝送装置ｔｄ４〜ｔｄ６）へと変更し、ＷＡＮ２１０を介して、他の伝送装置へ送信する。
【００４１】
エンコーダｅｎｃ２は、例えば、第１の場所とは異なる第２の場所に設置されたカメラである。エンコーダｅｎｃ２も、例えば、エンコーダｅｎｃ１と同様に、撮影した映像を映像符号化方式に従ってエンコードし、映像データを生成する。そして、エンコーダｅｎｃ２は、生成した映像データをパケット化した配信映像情報を、ＬＡＮ２２２（ルータｒｔ２）を介して、伝送装置ｔｄ２へ送信する。伝送装置ｔｄ２は、ＬＡＮ２２２側から受信した配信映像情報の送信先を他の伝送装置（例えば伝送装置ｔｄ４〜ｔｄ６）へと変更し、ＷＡＮ２１０を介して、他の伝送装置へ送信する。
【００４２】
エンコーダｅｎｃ３は、例えば、第１の場所および第２の場所とは異なる第３の場所に設置されたカメラである。エンコーダｅｎｃ３も、例えば、エンコーダｅｎｃ１と同様に、撮影した映像を映像符号化方式に従ってエンコードし、映像データを生成する。そして、エンコーダｅｎｃ３は、生成した映像データをパケット化した配信映像情報を、ＬＡＮ２２３（ルータｒｔ３）を介して、伝送装置ｔｄ３へ送信する。伝送装置ｔｄ３は、ＬＡＮ２２３側から受信した配信映像情報の送信先を他の伝送装置（例えば伝送装置ｔｄ４〜ｔｄ６）へと変更し、ＷＡＮ２１０を介して、他の伝送装置へ送信する。
【００４３】
伝送装置ｔｄ４は、ＷＡＮ２１０を介して、伝送装置ｔｄ１〜ｔｄ３から送信された配信映像情報を受信する。伝送装置ｔｄ４は、ＷＡＮ２１０側から受信した配信映像情報の送信先をデコーダｄｅｃ１へと変更し、ＬＡＮ２２４（ルータｒｔ４）を介して、デコーダｄｅｃ１へ送信する。
【００４４】
デコーダｄｅｃ１は、例えば、表示装置を有するＰＣである。デコーダｄｅｃ１は、例えば、ＬＡＮ２２４側から受信した配信映像情報を映像データに変換し、映像データを映像符号化方式に従ってデコードし、デコードして得られた映像を自装置の表示装置に表示させる。ここで、デコーダｄｅｃ１は、ハードウェアエンコーディングにより、映像データをデコードしてもよいし、ソフトウェアでコーディングにより、映像データをデコードしてもよい。これにより、デコーダｄｅｃ１へ配信された映像が、デコーダｄｅｃ１に表示される。
【００４５】
同様に、伝送装置ｔｄ５は、ＷＡＮ２１０を介して、伝送装置ｔｄ１〜ｔｄ３から送信された配信映像情報を受信する。伝送装置ｔｄ５は、ＷＡＮ２１０側から受信した配信映像情報の送信先をデコーダｄｅｃ２へと変更し、ＬＡＮ２２５（ルータｒｔ５）を介して、デコーダｄｅｃ２へ送信する。
【００４６】
そして、デコーダｄｅｃ２も、例えば、表示装置を有するＰＣである。デコーダｄｅｃ２も、例えば、デコーダｄｅｃ１と同様に、ＬＡＮ２２５側から受信した配信映像情報を映像データに変換し、映像データを映像符号化方式に従ってデコードし、デコードして得られた映像を自装置の表示装置に表示させる。これにより、デコーダｄｅｃ２へ配信された映像が、デコーダｄｅｃ２に表示される。
【００４７】
また、伝送装置ｔｄ６は、ＷＡＮ２１０を介して、伝送装置ｔｄ１〜ｔｄ３から送信された配信映像情報を受信する。伝送装置ｔｄ６は、ＷＡＮ２１０側から受信した配信映像情報の送信先をデコーダｄｅｃ３へと変更し、ＬＡＮ２２６（ルータｒｔ６）を介して、デコーダｄｅｃ３へ送信する。
【００４８】
そして、デコーダｄｅｃ３も、例えば、表示装置を有するＰＣである。デコーダｄｅｃ３も、例えば、デコーダｄｅｃ１と同様に、ＬＡＮ２２６側から受信した配信映像情報を映像データに変換し、映像データを映像符号化方式に従ってデコードし、デコードして得られた映像を自装置の表示装置に表示させる。これにより、デコーダｄｅｃ３へ配信された映像が、デコーダｄｅｃ３に表示される。
【００４９】
また、デコーダｄｅｃ１は、例えば、入力デバイスを有し、入力デバイスを介して、ユーザからの操作を受付可能である。デコーダｄｅｃ１は、例えばユーザの操作に応じて、エンコーダｅｎｃ１〜ｅｎｃ３のうちのいずれかのエンコーダを対象とする映像の閲覧要求を、ＬＡＮ２２４を介して、伝送装置ｔｄ４へ送信する。伝送装置ｔｄ４は、ＬＡＮ２２４側から受信した閲覧要求の送信先を他の伝送装置（例えば伝送装置ｔｄ１〜ｔｄ３）へと変更し、ＷＡＮ２１０を介して、他の伝送装置へ送信する。
【００５０】
詳細は図６などを用いて後述するが、伝送装置ｔｄ１〜ｔｄ６は、ＷＡＮ２１０側から受信した閲覧要求において対象とされたエンコーダが自装置と接続されたエンコーダであれば、この閲覧要求を自装置と接続されたエンコーダへ送信する。一方、伝送装置ｔｄ１〜ｔｄ６は、ＷＡＮ２１０側から受信した閲覧要求において対象とされたエンコーダが自装置と接続されたエンコーダでなければ、この閲覧要求を他の伝送装置へ送信する。
【００５１】
これにより、デコーダｄｅｃ１から送信された閲覧要求は、最終的に、閲覧要求において対象とされたエンコーダと接続された伝送装置へ送信される。そして、閲覧要求において対象とされたエンコーダからの映像がデコーダｄｅｃ１へ配信され、デコーダｄｅｃ１のユーザはこの映像を視聴することができる。
【００５２】
同様に、デコーダｄｅｃ２も、例えば、入力デバイスを有し、入力デバイスを介して、ユーザからの操作を受付可能である。デコーダｄｅｃ２は、例えばユーザの操作に応じて、エンコーダｅｎｃ１〜ｅｎｃ３のうちのいずれかのエンコーダを対象とする映像の閲覧要求を、ＬＡＮ２２５を介して、伝送装置ｔｄ５へ送信する。伝送装置ｔｄ５は、ＬＡＮ２２５側から受信した閲覧要求の送信先を他の伝送装置（例えば伝送装置ｔｄ１〜ｔｄ３）へと変更し、ＷＡＮ２１０を介して、他の伝送装置へ送信する。
【００５３】
これにより、デコーダｄｅｃ２から送信された閲覧要求は、最終的に、閲覧要求において対象とされたエンコーダと接続された伝送装置へ送信される。そして、閲覧要求において対象とされたエンコーダからの映像がデコーダｄｅｃ２へ配信され、デコーダｄｅｃ２のユーザはこの映像を視聴することができる。
【００５４】
また、デコーダｄｅｃ３も、例えば、入力デバイスを有し、入力デバイスを介して、ユーザからの操作を受付可能である。デコーダｄｅｃ３は、例えばユーザの操作に応じて、エンコーダｅｎｃ１〜ｅｎｃ３のうちのいずれかのエンコーダを対象とする映像の閲覧要求を、ＬＡＮ２２６を介して、伝送装置ｔｄ６へ送信する。伝送装置ｔｄ６は、ＬＡＮ２２６側から受信した閲覧要求の送信先を他の伝送装置（例えば伝送装置ｔｄ１〜ｔｄ３）へと変更し、ＷＡＮ２１０を介して、他の伝送装置へ送信する。
【００５５】
これにより、デコーダｄｅｃ３から送信された閲覧要求は、最終的に、閲覧要求において対象とされたエンコーダと接続された伝送装置へ送信される。そして、閲覧要求において対象とされたエンコーダからの映像がデコーダｄｅｃ３へ配信され、デコーダｄｅｃ３のユーザはこの映像を視聴することができる。
【００５６】
また、デコーダｄｅｃ１〜ｄｅｃ３は、自動的に閲覧要求を送信してもよい。例えば、デコーダｄｅｃ１〜ｄｅｃ３は、エンコーダｅｎｃ１〜ｅｎｃ３のそれぞれから配信された映像が所定の表示時間（例えば５秒間）ごとに順次表示されるように、閲覧要求を自動的に送信してもよい。また、デコーダｄｅｃ１〜ｄｅｃ３は、複数のエンコーダに対して、閲覧要求を送信し、複数のエンコーダから配信された複数の映像を同時に表示させるようにしてもよい。
【００５７】
また、伝送装置ｔｄ１〜ｔｄ６は、例えば、自装置が送受信した情報（自装置が送受信したパケット）を監視し、監視結果を示すパケット情報を記憶する。これにより、伝送装置ｔｄ１には、エンコーダｅｎｃ１を対象とする閲覧要求をＬＡＮ２２１側（例えばＬＡＮ２２１によりエンコーダｅｎｃ１）へ送信したことを示すパケット情報が記憶され得る。また、伝送装置ｔｄ１には、エンコーダｅｎｃ２，ｅｎｃ３を対象とする閲覧要求をＷＡＮ２１０側（例えばＷＡＮ２１０により他の伝送装置）へ送信したことを示すパケット情報が記憶され得る。
【００５８】
また、これにより、伝送装置ｔｄ２には、エンコーダｅｎｃ２を対象とする閲覧要求をＬＡＮ２２２側（例えばＬＡＮ２２２によりエンコーダｅｎｃ２）へ送信したことを示すパケット情報が記憶され得る。また、伝送装置ｔｄ２には、エンコーダｅｎｃ１，ｅｎｃ３を対象とする閲覧要求をＷＡＮ２１０側（例えばＷＡＮ２１０により他の伝送装置）へ送信したことを示すパケット情報が記憶され得る。
【００５９】
また、これにより、伝送装置ｔｄ３には、エンコーダｅｎｃ３を対象とする閲覧要求をＬＡＮ２２３側（例えばＬＡＮ２２３によりエンコーダｅｎｃ３）へ送信したことを示すパケット情報が記憶され得る。また、伝送装置ｔｄ３には、エンコーダｅｎｃ１，ｅｎｃ２を対象とする閲覧要求をＷＡＮ２１０側（例えばＷＡＮ２１０により他の伝送装置）へ送信したことを示すパケット情報が記憶され得る。
【００６０】
また、これにより、伝送装置ｔｄ４には、任意のエンコーダを対象とする閲覧要求をＬＡＮ２２４側（例えばＬＡＮ２２４によりデコーダｄｅｃ１）から受信したことを示すパケット情報が記憶され得る。また、伝送装置ｔｄ４には、任意のエンコーダを対象とする閲覧要求をＷＡＮ２１０側（例えばＷＡＮ２１０により他の伝送装置）へ送信したことを示すパケット情報が記憶され得る。
【００６１】
また、これにより、伝送装置ｔｄ５には、任意のエンコーダを対象とする閲覧要求をＬＡＮ２２５側（例えばＬＡＮ２２５によりデコーダｄｅｃ２）から受信したことを示すパケット情報が記憶され得る。また、伝送装置ｔｄ５には、任意のエンコーダを対象とする閲覧要求をＷＡＮ２１０側（例えばＷＡＮ２１０により他の伝送装置）へ送信したことを示すパケット情報が記憶され得る。
【００６２】
また、これにより、伝送装置ｔｄ６には、任意のエンコーダを対象とする閲覧要求をＬＡＮ２２６側（例えばＬＡＮ２２６によりデコーダｄｅｃ３）から受信したことを示すパケット情報が記憶され得る。また、伝送装置ｔｄ６には、任意のエンコーダを対象とする閲覧要求をＷＡＮ２１０側（例えばＷＡＮ２１０により他の伝送装置）へ送信したことを示すパケット情報が記憶され得る。
【００６３】
伝送装置ｔｄ１〜ｔｄ６は、自装置のパケット情報を、ＷＡＮ２１０を介して、通信制御装置１０１へ送信する。これにより、通信制御装置１０１は、伝送装置ｔｄ１〜ｔｄ６のパケット情報を取得することができる。
【００６４】
また、図２に示すように、通信制御システム２００において、通信制御装置１０１は、ネットワーク２４０を介して、災害情報サーバ２３０と接続されてもよい。災害情報サーバ２３０は、例えば、災害が発生した場合に、災害地域（被災地域）を示す情報を含む災害情報を、ネットワーク２４０を介して、通信制御装置１０１へ送信する。これにより、通信制御装置１０１は、災害地域を示す情報を取得することができる。なお、災害情報サーバ２３０は、例えば、サーバとすることができる。また、図２では、ネットワーク２４０をＷＡＮ２１０とは別のネットワークとして図示したが、ネットワーク２４０はＷＡＮ２１０であってもよい。
【００６５】
また、伝送装置ｔｄ１〜ｔｄ６には、各々の設置地域に応じたグローバルＩＰ（Ｉｎｔｅｒｎｅｔ  Ｐｒｏｔｏｃｏｌ）アドレスが付与されるようにしてもよい。グローバルＩＰアドレスから、国、地域単位の位置情報を得ることができる場合がある。このようにすることにより、通信制御装置１０１は、伝送装置ｔｄ１〜ｔｄ６に付与されたグローバルＩＰアドレスから、伝送装置ｔｄ１〜ｔｄ６の大まかな設置地域を特定可能となる。
【００６６】
なお、ここで説明した例では、伝送装置ｔｄ１〜ｔｄ６の６つの伝送装置を設けたが、伝送装置の数は任意の数としてもよい。同様に、エンコーダの数、およびデコーダの数も任意の数としてもよい。
【００６７】
また、ここで説明した例では、エンコーダｅｎｃ１〜ｅｎｃ３がカメラと一体的に設けられるようにしたが、これに限らない。エンコーダｅｎｃ１〜ｅｎｃ３は、カメラと別体として設けられ、カメラに接続されるようにしてもよい。また、エンコーダｅｎｃ１〜ｅｎｃ３は、映像データを出力可能なコンピュータ（例えばＰＣ）と接続され、コンピュータから入力された映像データをパケット化した配信映像情報を出力するようにしてもよい。
【００６８】
また、ここで説明した例では、ルータｒｔ１〜ｒｔ６のそれぞれに、エンコーダあるいはデコーダが１つずつ接続されるようにしたが、これに限らない。ルータｒｔ１〜ｒｔ６のそれぞれには、エンコーダあるいはデコーダが複数接続されてもよい。また、ルータｒｔ１〜ｒｔ６は、伝送装置ｔｄ１〜ｔｄ６内に組み込まれてもよい。
【００６９】
（通信制御装置１０１のハードウェア構成例）
図３は、通信制御装置１０１のハードウェア構成例を示すブロック図である。図３において、通信制御装置１０１は、ＣＰＵ（Ｃｅｎｔｒａｌ  Ｐｒｏｃｅｓｓｉｎｇ  Ｕｎｉｔ）３０１と、メモリ３０２と、Ｉ／Ｆ（Ｉｎｔｅｒｆａｃｅ）３０３と、ディスクドライブ３０４と、ディスク３０５と、を有する。また、各構成部は、バス３００によってそれぞれ接続される。
【００７０】
ここで、ＣＰＵ３０１は、通信制御装置１０１の全体の制御を司る。メモリ３０２は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびフラッシュＲＯＭなどを有する。具体的には、例えば、フラッシュＲＯＭやＲＯＭが各種プログラムを記憶し、ＲＡＭがＣＰＵ３０１のワークエリアとして使用される。メモリ３０２に記憶されるプログラムは、ＣＰＵ３０１にロードされることで、コーディングされている処理をＣＰＵ３０１に実行させる。
【００７１】
Ｉ／Ｆ３０３は、通信回線を通じてネットワーク３１０に接続され、ネットワーク３１０を介して他のコンピュータに接続される。Ｉ／Ｆ３０３は、ネットワーク３１０と内部のインターフェースを司り、他のコンピュータからのデータの入出力を制御する。Ｉ／Ｆ３０３には、例えば、モデムやＬＡＮアダプタなどを採用することができる。ネットワーク３１０は、例えば、図２に示したＷＡＮ２１０やネットワーク２４０を含む。すなわち、Ｉ／Ｆ３０３は、例えば、ネットワーク３１０を介して、伝送装置ｔｄ１〜ｔｄ６、災害情報サーバ２３０に接続される。
【００７２】
ディスクドライブ３０４は、ＣＰＵ３０１の制御に従ってディスク３０５に対するデータのリード／ライトを制御する。ディスク３０５は、ディスクドライブ３０４の制御で書き込まれたデータを記憶する。ディスク３０５としては、例えば、磁気ディスク、光ディスクなどが挙げられる。
【００７３】
なお、通信制御装置１０１は、上述した構成部のほか、例えば、ＳＳＤ（Ｓｏｌｉｄ  Ｓｔａｔｅ  Ｄｒｉｖｅ）、キーボード、マウス、ディスプレイなどを有することにしてもよい。また、災害情報サーバ２３０は、例えば、通信制御装置１０１と同様のハードウェア構成により実現することができる。
【００７４】
（伝送装置ｔｄ１のハードウェア構成例）
図４は、伝送装置ｔｄ１のハードウェア構成例を示すブロック図である。図４において、伝送装置ｔｄ１は、ＣＰＵ４０１と、メモリ４０２と、ＷＡＮ側ポート４０３と、ＬＡＮ側ポート４０４と、ＳＳＤ４０５とを有する。また、各構成部はバス４００によってそれぞれ接続される。
【００７５】
ここで、ＣＰＵ４０１は、伝送装置ｔｄ１の全体の制御を司る。メモリ４０２は、例えば、ＲＯＭ、ＲＡＭおよびフラッシュＲＯＭなどを有する。具体的には、例えば、フラッシュＲＯＭやＲＯＭが各種プログラムを記憶し、ＲＡＭがＣＰＵ４０１のワークエリアとして使用される。メモリ４０２に記憶されるプログラムは、ＣＰＵ４０１にロードされることで、コーディングされている処理をＣＰＵ４０１に実行させる。
【００７６】
ＷＡＮ側ポート４０３は、通信回線を通じてＷＡＮ２１０に接続され、ＷＡＮ２１０を介して他の装置（例えば、通信制御装置１０１や他の伝送装置）に接続される。そして、ＷＡＮ側ポート４０３は、ＷＡＮ２１０と自装置内部とのインターフェースを司り、他の装置からのデータの入出力を制御する。
【００７７】
ＬＡＮ側ポート４０４は、通信回線を通じてＬＡＮ２２１に接続され、ＬＡＮ２２１を介して他の装置（例えば、ルータｒｔ１やエンコーダｅｎｃ１）に接続される。そして、ＬＡＮ側ポート４０４は、ＬＡＮ２２１と自装置内部とのインターフェースを司り、他の装置からのデータの入出力を制御する。
【００７８】
ＳＳＤ４０５は、ＣＰＵ４０１の制御に従ってセルに対するデータのリード／ライトを制御し、書き込んだデータを記憶する。なお、伝送装置ｔｄ１は、上述した構成部のほか、例えば、ディスクドライブ、ディスク、キーボード、マウス、ディスプレイなどを有することにしてもよい。
【００７９】
伝送装置ｔｄ２〜ｔｄ６は、伝送装置ｔｄ１と同様の構成により実現することができる。ただし、伝送装置ｔｄ２のＬＡＮ側ポートはＬＡＮ２２２に接続され、伝送装置ｔｄ３のＬＡＮ側ポートはＬＡＮ２２３に接続される。また、伝送装置ｔｄ４のＬＡＮ側ポートはＬＡＮ２２４に接続され、伝送装置ｔｄ５のＬＡＮ側ポートはＬＡＮ２２５に接続され、伝送装置ｔｄ６のＬＡＮ側ポートはＬＡＮ２２６に接続される。
【００８０】
（通信制御装置１０１の機能的構成例）
つぎに、通信制御装置１０１の機能的構成例について説明する。図５は、通信制御装置１０１の機能的構成例を示すブロック図である。図５に示すように、通信制御装置１０１は、例えば、パケット情報取得部５０１と、第１判定部５０２と、計測部５０３と、判断部５０４と、制御部５０５と、災害情報取得部５０６と、第２判定部５０７とを含む。
【００８１】
なお、パケット情報取得部５０１〜第２判定部５０７の各機能部は、例えば、図３に示したメモリ３０２やディスク３０５などに記憶されたプログラムをＣＰＵ３０１が実行することにより、またはＩ／Ｆ３０３により、その機能を実現することができる。また、パケット情報取得部５０１〜第２判定部５０７の処理結果は、例えば、メモリ３０２やディスク３０５などに記憶される。
【００８２】
パケット情報取得部５０１は、伝送装置ｔｄ１〜ｔｄ６のパケット情報を取得する。パケット情報取得部５０１は、例えば、ＷＡＮ２１０を介して、パケット情報の送信要求を伝送装置ｔｄ１〜ｔｄ６へ送信する。伝送装置ｔｄ１〜ｔｄ６は、パケット情報の送信要求を受信すると、ＷＡＮ２１０を介して、自装置のパケット情報を通信制御装置１０１へ送信する。
【００８３】
伝送装置ｔｄ１〜ｔｄ６は、パケット情報を記憶するごとに、新たに記憶したパケット情報を通信制御装置１０１へ送信してもよい。また、伝送装置ｔｄ１〜ｔｄ６は、所定の周期で（例えば１分間ごとに）パケット情報を通信制御装置１０１へ送信してもよい。パケット情報取得部５０１は、伝送装置ｔｄ１〜ｔｄ６から送信されたパケット情報を受信することにより、伝送装置ｔｄ１〜ｔｄ６のパケット情報を取得することができる。
【００８４】
第１判定部５０２は、パケット情報取得部５０１によって取得されたパケット情報ごとに、閲覧要求をＬＡＮ側へ送信したことを示すパケット情報であるか否かを判定する。第１判定部５０２は、例えば、伝送装置ｔｄ１から取得されたパケット情報の場合、閲覧要求をＬＡＮ２２１側へ送信したことを示すパケット情報であるか否かを判定する。なお、閲覧要求をＬＡＮ側へ送信したことを示すパケット情報は、閲覧要求を自装置配下のエンコーダへ送信したことを示すパケット情報であり、換言すれば、閲覧要求を他の伝送装置へ送信していないことを示すパケット情報である。
【００８５】
計測部５０３は、伝送装置ｔｄ１〜ｔｄ６に接続されたエンコーダごとに、閲覧要求の対象となった回数（以下「閲覧数」という）を計測する。計測部５０３は、パケット情報取得部５０１によって取得されたパケット情報と、第１判定部５０２の判定結果とに基づいて、閲覧数の計測を行う。計測部５０３は、例えば、閲覧要求をＬＡＮ側へ送信したことを示すパケット情報が１つあるごとに、この閲覧要求の対象となったエンコーダの閲覧数を「１」カウントアップする。
【００８６】
具体的には、例えば、初期状態（全エンコーダの閲覧数「０」）において、伝送装置ｔｄ１から取得されたパケット情報に、閲覧要求をＬＡＮ側へ送信したことを示すパケット情報が１つあり、この閲覧要求の対象がエンコーダｅｎｃ１であったとする。この場合、計測部５０３は、エンコーダｅｎｃ１の閲覧数を「１」とする。
【００８７】
その後、伝送装置ｔｄ１から取得されたパケット情報に、閲覧要求をＬＡＮ側へ送信したことを示すパケット情報がまた１つあり、この閲覧要求の対象もエンコーダｅｎｃ１であったとする。この場合、計測部５０３は、エンコーダｅｎｃ１の閲覧数を「２」とする。同様にして、計測部５０３は、エンコーダｅｎｃ２，ｅｎｃ３の閲覧数もカウントとする。
【００８８】
なお、計測部５０３は、例えば、パケット情報取得部５０１によって取得されたパケット情報に基づいて、閲覧数のカウントダウンを行ってもよい。具体的に、例えば、伝送装置ｔｄ１から取得されたパケット情報に、配信の停止要求をＬＡＮ側へ送信したことを示すパケット情報が１つあり、この停止要求の対象がエンコーダｅｎｃ１であったとする。この場合、計測部５０３は、エンコーダｅｎｃ１の閲覧数を「１」カウントダウンするようにしてもよい。
【００８９】
判断部５０４は、パケット情報取得部５０１によって取得されたパケット情報と、第１判定部５０２の判定結果とに基づいて、閲覧要求の対象となったエンコーダがいずれの伝送装置の配下にあるかを判断する。例えば、伝送装置ｔｄ１から取得されたパケット情報に、エンコーダｅｎｃ１を対象とする閲覧要求をＬＡＮ２２１側へ送信したことを示すパケット情報があったとする。この場合、判断部５０４は、エンコーダｅｎｃ１が伝送装置ｔｄ１の配下にあると判断し、この判断結果（エンコーダｅｎｃ１が伝送装置ｔｄ１の配下にあること）を示す情報を記憶する。
【００９０】
また、判断部５０４は、パケット情報取得部５０１によって取得されたパケット情報のうち閲覧要求をＬＡＮ側から受信したことを示すパケット情報に基づいて、閲覧要求を送信したデコーダがいずれの伝送装置の配下にあるかを判断してもよい。例えば、伝送装置ｔｄ４から取得されたパケット情報に、デコーダｄｅｃ１から送信された閲覧要求をＬＡＮ２２４側から受信したことを示すパケット情報があったとする。この場合、判断部５０４は、デコーダｄｅｃ１が伝送装置ｔｄ４の配下にあると判断し、この判断結果（デコーダｄｅｃ１が伝送装置ｔｄ４の配下にあること）を示す情報を記憶してもよい。
【００９１】
制御部５０５は、計測部５０３の計測結果と、判断部５０４の判断結果とに基づいて、伝送装置ｔｄ１〜ｔｄ６に接続されたエンコーダからの映像の配信を制御する。例えば、閲覧数が多いエンコーダは、需要の高い映像を配信しているエンコーダである。すなわち、閲覧数が多いエンコーダは、多くのユーザにとって重要な映像を配信している可能性が高いエンコーダであり、優先すべき度合い（以下「優先度」という）が高いエンコーダとなる。したがって、制御部５０５は、閲覧数が多いエンコーダからの映像を優先的に配信するように制御する。
【００９２】
具体的に、例えば、制御部５０５は、閲覧数が所定の閾値以上のエンコーダがある場合、判断部５０４の判断結果からこのエンコーダを配下に持つ伝送装置を特定する。そして、制御部５０５は、特定した伝送装置に対して、閲覧数が多いエンコーダの映像品質を高める旨の指示を送信する。映像品質を高める旨の指示を受信した伝送装置は、自装置配下のエンコーダ（閲覧数が多いエンコーダ）へ、映像品質を高める旨の指示を送信する。
【００９３】
映像品質を高める旨の指示を受信したエンコーダは、例えば、映像品質を高める旨の指示の受信前より、ビットレートを高めてエンコードする。これにより、映像品質を高める旨の指示を受信したエンコーダから配信される映像の映像品質を向上させることができる。そして、映像品質を高める旨の指示を受信したエンコーダから配信される映像の視認性を高めることができる。なお、制御部５０５が、閲覧数が多いと判断するための閾値は、例えば、通信制御装置１０１の製造者が任意に定めてよい。
【００９４】
また、制御部５０５は、例えば、閲覧数が多いエンコーダの映像品質を高めた場合、他のエンコーダ（閲覧数が少ないエンコーダ）の映像品質を下げるように制御してもよい。この場合、制御部５０５は、判断部５０４の判断結果から他のエンコーダを配下に持つ伝送装置を特定し、特定した伝送装置に対して、他のエンコーダの映像品質を下げる旨の指示を送信する。映像品質を下げる旨の指示を受信した伝送装置は、自装置配下のエンコーダへ、映像品質を下げる旨の指示を送信する。
【００９５】
映像品質を下げる旨の指示を受信したエンコーダは、例えば、映像品質を下げる旨の指示の受信前より、ビットレートを下げてエンコードする。これにより、映像品質を下げる旨の指示を受信したエンコーダから配信される映像の映像データのデータサイズを小さくすることができる。そして、映像品質を下げる旨の指示を受信したエンコーダからの映像を配信するために必要な帯域を減らすことができる。
【００９６】
また、制御部５０５は、計測部５０３の計測結果と、判断部５０４の判断結果とに基づいて、デコーダｄｅｃ１〜ｄｎｃ３を制御するようにしてもよい。例えば、制御部５０５は、閲覧数が多いエンコーダがある場合、判断部５０４の判断結果から各々のデコーダを配下に持つ伝送装置を特定し、特定した伝送装置に対して、閲覧数が多いエンコーダを対象とする閲覧要求を送信するよう指示する。
【００９７】
閲覧要求の送信指示を受信した伝送装置は、自装置配下のデコーダへ閲覧要求の送信指示を送信する。閲覧要求の送信指示を受信したデコーダは、閲覧要求の送信指示にしたがって、閲覧要求を送信する。これにより、閲覧数が多いエンコーダからの映像が各々のデコーダに配信されるようになり、各々のデコーダのユーザは閲覧数が多いエンコーダからの映像を試聴することができる。
【００９８】
また、制御部５０５は、閲覧数が多いエンコーダから配信された映像を拡大して表示させるように、伝送装置を介して、デコーダに指示してもよい。また、制御部５０５は、閲覧数が多いエンコーダから配信された映像については長時間表示させるように（表示時間を長くするように）、伝送装置を介して、デコーダに指示してもよい。これにより、閲覧数が多いエンコーダからの映像の視認性を高めることができる。また、閲覧数が多いエンコーダからの映像があることを、各々のデコーダのユーザに気づかせることができる。
【００９９】
なお、ここでは、閲覧数が閾値よりも大きいか否かにより、制御部５０５が所定の制御を行うようにしたが、これに限らない。制御部５０５は、例えば、全エンコーダの閲覧数の和に占める特定のエンコーダの閲覧数の割合が所定値以上（例えば１／２以上）である場合に、このエンコーダからの映像を優先的に配信するように制御してもよい。
【０１００】
災害情報取得部５０６は、災害地域（被災地域）を示す情報を含む災害情報を取得する。災害情報取得部５０６は、例えば、ネットワーク２４０を介して、災害情報サーバ２３０から災害情報を受信することにより、災害情報を取得する。
【０１０１】
第２判定部５０７は、災害情報取得部５０６によって取得された災害情報に基づいて、伝送装置ｔｄ１〜ｔｄ６の各々の設置地域について、災害が発生しているか否かを判定する。例えば、第２判定部５０７は、伝送装置ｔｄ１〜ｔｄ６のグローバルＩＰアドレスから、伝送装置ｔｄ１〜ｔｄ６の各々の設置地域を特定する。そして、第２判定部５０７は、災害情報取得部５０６によって取得された災害情報から、伝送装置ｔｄ１〜ｔｄ６の設置地域の各々が、災害地域と合致するか否かを判定する。
【０１０２】
例えば、災害地域に設置された伝送装置に接続されたエンコーダは、災害地域に設置されたエンコーダである可能性が高い。すなわち、災害地域に設置された伝送装置に接続されたエンコーダは、ユーザにとって重要な映像を配信している（潜在的な需要が高い）可能性が高いエンコーダであり、優先度が高いエンコーダとなる。したがって、制御部５０５は、災害地域に設置された伝送装置に接続されたエンコーダからの映像を優先的に配信するように制御する。
【０１０３】
具体的に、例えば、制御部５０５は、災害地域に設置された伝送装置がある場合、判断部５０４の判断結果からこの伝送装置が配下に持つエンコーダを特定し、災害地域に設置された伝送装置に対して、その配下のエンコーダの映像品質を高める旨の指示を送信する。これにより、災害地域に設置された伝送装置に接続されたエンコーダから配信される映像の映像品質を向上させ、その視認性を高めることができる。
【０１０４】
また、制御部５０５は、例えば、災害地域に設置された伝送装置に接続されたエンコーダの映像品質を高めた場合、他のエンコーダ（災害地域以外に設置された伝送装置に接続されたエンコーダ）の映像品質を下げるように制御してもよい。これにより、災害地域以外に設置された伝送装置に接続されたエンコーダから配信される映像のデータサイズを小さくすることができ、この配信に必要な帯域を減らすことができる。
【０１０５】
また、制御部５０５は、災害地域に設置された伝送装置に接続されたエンコーダがある場合、判断部５０４の判断結果から各々のデコーダを配下に持つ伝送装置を特定してもよい。そして、制御部５０５は、特定した伝送装置に対して、災害地域に設置された伝送装置に接続されたエンコーダを対象とする閲覧要求を送信するよう指示してもよい。
【０１０６】
また、制御部５０５は、災害地域に設置された伝送装置に接続されたエンコーダから配信された映像を拡大して表示させるように、伝送装置を介して、デコーダに指示してもよい。そして、制御部５０５は、災害地域に設置された伝送装置に接続されたエンコーダから配信された映像については長時間表示させるように（表示時間を延長するように）、伝送装置を介して、デコーダに指示してもよい。これにより、災害地域に設置された伝送装置に接続されたエンコーダからの映像の視認性を高めることができる。また、災害地域に設置された伝送装置に接続されたエンコーダからの映像があることを、各々のデコーダのユーザに気づかせることができる。
【０１０７】
（通信制御システム２００の動作例）
つぎに、通信制御システム２００の動作例について説明する。まずは、閲覧要求に応じて優先度を動的に決定する場合の一例について説明する。
【０１０８】
（閲覧要求に応じて優先度を動的に決定する場合の一例）
図６は、閲覧要求に応じて優先度を動的に決定する場合の一例を示す説明図である。初期状態（全エンコーダの閲覧数「０」）であるときに、図６に示すように、デコーダｄｅｃ１が、例えばデコーダｄｅｃ１のユーザの操作に応じて、ＬＡＮ２２４を介して、閲覧要求ｂｒ１を伝送装置ｔｄ４へ送信したとする。ここで、閲覧要求ｂｒ１は、図６に示すように、エンコーダｅｎｃ２を対象とする閲覧要求である。
【０１０９】
伝送装置ｔｄ４は、閲覧要求ｂｒ１を受信すると、閲覧要求ｂｒ１の対象となるエンコーダｅｎｃ２が自装置の配下にないため、ＷＡＮ２１０を介して、閲覧要求ｂｒ１を他の伝送装置へ送信する。図６に示す例では、伝送装置ｔｄ４は、閲覧要求ｂｒ１を伝送装置ｔｄ１へ送信している。これにより、伝送装置ｔｄ４には、閲覧要求をＷＡＮ側へ送信したことを示すパケット情報＃１が記憶される。具体的に、例えば、パケット情報＃１は、閲覧要求ｂｒ１をＷＡＮ２１０により伝送装置ｔｄ１へ送信したことを示すパケット情報とすることができる。
【０１１０】
伝送装置ｔｄ４は、所定のタイミングで、パケット情報＃１を通信制御装置１０１へ送信する。パケット情報＃１は閲覧要求をＬＡＮ側へ送信したことを示すパケット情報でないので、通信制御装置１０１はパケット情報＃１による閲覧数のカウントアップを行わない。したがって、この段階では、初期状態（全エンコーダの閲覧数「０」）が継続される。
【０１１１】
伝送装置ｔｄ１は、閲覧要求ｂｒ１を受信すると、閲覧要求ｂｒ１の対象となるエンコーダｅｎｃ２が自装置の配下にないため、ＷＡＮ２１０を介して、閲覧要求ｂｒ１を他の伝送装置へ送信する。図６に示す例では、伝送装置ｔｄ１は、閲覧要求ｂｒ１を伝送装置ｔｄ２へ送信している。これにより、伝送装置ｔｄ１には、閲覧要求をＷＡＮ側へ送信したことを示すパケット情報＃２が記憶される。具体的に、例えば、パケット情報＃２は、閲覧要求ｂｒ１をＷＡＮ２１０により伝送装置ｔｄ２へ送信したことを示すパケット情報とすることができる。
【０１１２】
伝送装置ｔｄ１は、所定のタイミングで、パケット情報＃２を通信制御装置１０１へ送信する。パケット情報＃２は閲覧要求をＬＡＮ側へ送信したことを示すパケット情報でないので、通信制御装置１０１はパケット情報＃２による閲覧数のカウントアップを行わない。したがって、この段階でも、初期状態（全エンコーダの閲覧数「０」）が継続される。
【０１１３】
伝送装置ｔｄ２は、閲覧要求ｂｒ１を受信すると、閲覧要求ｂｒ１の対象となるエンコーダｅｎｃ２が自装置の配下にあるため、ＬＡＮ２２２を介して、閲覧要求ｂｒ１をエンコーダｅｎｃ２へ送信する。これにより、伝送装置ｔｄ２には、閲覧要求をＬＡＮ側へ送信したことを示すパケット情報＃３が記憶される。具体的に、例えば、パケット情報＃３は、閲覧要求ｂｒ１をＬＡＮ２２２によりエンコーダｅｎｃ２へ送信したことを示すパケット情報とすることができる。
【０１１４】
伝送装置ｔｄ２は、所定のタイミングで、パケット情報＃３を通信制御装置１０１へ送信する。パケット情報＃３は閲覧要求をＬＡＮ側へ送信したことを示すパケット情報であるので、通信制御装置１０１はパケット情報＃３による閲覧数のカウントアップを行う。具体的には、通信制御装置１０１は、エンコーダｅｎｃ２の閲覧数を「１」とする。
【０１１５】
つづいて、デコーダｄｅｃ２が、例えばデコーダｄｅｃ２のユーザの操作に応じて、ＬＡＮ２２５を介して、閲覧要求ｂｒ２を伝送装置ｔｄ５へ送信したとする。ここで、閲覧要求ｂｒ２は、図６に示すように、エンコーダｅｎｃ２を対象とする閲覧要求である。
【０１１６】
伝送装置ｔｄ５は、閲覧要求ｂｒ２を受信すると、閲覧要求ｂｒ２の対象となるエンコーダｅｎｃ２が自装置の配下にないため、ＷＡＮ２１０を介して、閲覧要求ｂｒ２を他の伝送装置へ送信する。図６に示す例では、伝送装置ｔｄ５は、閲覧要求ｂｒ２を伝送装置ｔｄ２へ送信している。これにより、伝送装置ｔｄ５には、閲覧要求をＷＡＮ側へ送信したことを示すパケット情報＃４が記憶される。具体的に、例えば、パケット情報＃４は、閲覧要求ｂｒ２をＷＡＮ２１０により伝送装置ｔｄ２へ送信したことを示すパケット情報とすることができる。
【０１１７】
伝送装置ｔｄ５は、所定のタイミングで、パケット情報＃４を通信制御装置１０１へ送信する。パケット情報＃４は閲覧要求をＬＡＮ側へ送信したことを示すパケット情報でないので、通信制御装置１０１はパケット情報＃４による閲覧数のカウントアップを行わない。したがって、この段階では、エンコーダｅｎｃ２の閲覧数「１」の状態が継続される。
【０１１８】
伝送装置ｔｄ２は、閲覧要求ｂｒ２を受信すると、閲覧要求ｂｒ２の対象となるエンコーダｅｎｃ２が自装置の配下にあるため、ＬＡＮ２２２を介して、閲覧要求ｂｒ２をエンコーダｅｎｃ２へ送信する。これにより、伝送装置ｔｄ２には、閲覧要求をＬＡＮ側へ送信したことを示すパケット情報＃５が記憶される。具体的に、例えば、パケット情報＃５は、閲覧要求ｂｒ２をＬＡＮ２２２によりエンコーダｅｎｃ２へ送信したことを示すパケット情報とすることができる。
【０１１９】
伝送装置ｔｄ２は、所定のタイミングで、パケット情報＃５を通信制御装置１０１へ送信する。パケット情報＃５は閲覧要求をＬＡＮ側へ送信したことを示すパケット情報であるので、通信制御装置１０１はパケット情報＃５による閲覧数のカウントアップを行う。具体的には、通信制御装置１０１は、エンコーダｅｎｃ２の閲覧数を「２」とする。
【０１２０】
つづいて、デコーダｄｅｃ３が、例えばデコーダｄｅｃ３のユーザの操作に応じて、ＬＡＮ２２６を介して、閲覧要求ｂｒ３を伝送装置ｔｄ６へ送信したとする。ここで、閲覧要求ｂｒ３は、図６に示すように、エンコーダｅｎｃ２を対象とする閲覧要求である。
【０１２１】
伝送装置ｔｄ６は、閲覧要求ｂｒ３を受信すると、閲覧要求ｂｒ３の対象となるエンコーダｅｎｃ２が自装置の配下にないため、ＷＡＮ２１０を介して、閲覧要求ｂｒ３を他の伝送装置へ送信する。図６に示す例では、伝送装置ｔｄ６は、閲覧要求ｂｒ３を伝送装置ｔｄ３へ送信している。これにより、伝送装置ｔｄ６には、閲覧要求をＷＡＮ側へ送信したことを示すパケット情報＃６が記憶される。具体的に、例えば、パケット情報＃６は、閲覧要求ｂｒ３をＷＡＮ２１０により伝送装置ｔｄ３へ送信したことを示すパケット情報とすることができる。
【０１２２】
伝送装置ｔｄ６は、所定のタイミングで、パケット情報＃６を通信制御装置１０１へ送信する。パケット情報＃６は閲覧要求をＬＡＮ側へ送信したことを示すパケット情報でないので、通信制御装置１０１はパケット情報＃６による閲覧数のカウントアップを行わない。したがって、この段階では、エンコーダｅｎｃ２の閲覧数「２」の状態が継続される。
【０１２３】
伝送装置ｔｄ３は、閲覧要求ｂｒ３を受信すると、閲覧要求ｂｒ３の対象となるエンコーダｅｎｃ２が自装置の配下にないため、ＷＡＮ２１０を介して、閲覧要求ｂｒ３を他の伝送装置へ送信する。図６に示す例では、伝送装置ｔｄ３は、閲覧要求ｂｒ３を伝送装置ｔｄ２へ送信している。これにより、伝送装置ｔｄ３には、閲覧要求をＷＡＮ側へ送信したことを示すパケット情報＃７が記憶される。具体的に、例えば、パケット情報＃７は、閲覧要求ｂｒ３をＷＡＮ２１０により伝送装置ｔｄ２へ送信したことを示すパケット情報とすることができる。
【０１２４】
伝送装置ｔｄ３は、所定のタイミングで、パケット情報＃７を通信制御装置１０１へ送信する。パケット情報＃７は閲覧要求をＬＡＮ側へ送信したことを示すパケット情報でないので、通信制御装置１０１はパケット情報＃７による閲覧数のカウントアップを行わない。したがって、この段階では、エンコーダｅｎｃ２の閲覧数「２」の状態が継続される。
【０１２５】
伝送装置ｔｄ２は、閲覧要求ｂｒ３を受信すると、閲覧要求ｂｒ３の対象となるエンコーダｅｎｃ２が自装置の配下にあるため、ＬＡＮ２２２を介して、閲覧要求ｂｒ３をエンコーダｅｎｃ２へ送信する。これにより、伝送装置ｔｄ２には、閲覧要求をＬＡＮ側へ送信したことを示すパケット情報＃８が記憶される。具体的に、例えば、パケット情報＃８は、閲覧要求ｂｒ３をＬＡＮ２２２によりエンコーダｅｎｃ２へ送信したことを示すパケット情報とすることができる。
【０１２６】
伝送装置ｔｄ２は、所定のタイミングで、パケット情報＃８を通信制御装置１０１へ送信する。パケット情報＃８は閲覧要求をＬＡＮ側へ送信したことを示すパケット情報であるので、通信制御装置１０１はパケット情報＃８による閲覧数のカウントアップを行う。具体的には、通信制御装置１０１は、エンコーダｅｎｃ２の閲覧数を「３」とする。
【０１２７】
これによって、伝送装置ｔｄ２の配下にあるエンコーダｅｎｃ２の閲覧数が所定の閾値（ここでは「２」とする）よりも大きくなった。このため、通信制御装置１０１は、エンコーダｅｎｃ２からの映像を優先的に配信する。これにより、通信制御装置１０１は、前述したように、例えば、エンコーダｅｎｃ２から配信される映像の映像品質を高めるように制御したりする。
【０１２８】
（災害情報に応じて優先度を動的に決定する場合の一例）
つぎに、災害情報に応じて優先度を動的に決定する場合の一例について説明する。図７は、災害情報に応じて優先度を動的に決定する場合の一例を示す説明図である。図７に示すように、デコーダｄｅｃ１が、例えばデコーダｄｅｃ１のユーザの操作に応じて、ＬＡＮ２２４を介して、閲覧要求ｂｒ１１を伝送装置ｔｄ４へ送信したとする。ここで、閲覧要求ｂｒ１１は、図７に示すように、エンコーダｅｎｃ２を対象とする閲覧要求である。
【０１２９】
伝送装置ｔｄ４は、閲覧要求ｂｒ１１を受信すると、閲覧要求ｂｒ１１の対象となるエンコーダｅｎｃ２が自装置の配下にないため、ＷＡＮ２１０を介して、閲覧要求ｂｒ１１を他の伝送装置へ送信する。図７に示す例では、伝送装置ｔｄ４は、閲覧要求ｂｒ１１を伝送装置ｔｄ１へ送信している。これにより、伝送装置ｔｄ４には、閲覧要求をＷＡＮ側へ送信したことを示すパケット情報＃１１が記憶される。具体的に、例えば、パケット情報＃１１は、閲覧要求ｂｒ１１をＷＡＮ２１０により伝送装置ｔｄ１へ送信したことを示すパケット情報とすることができる。
【０１３０】
伝送装置ｔｄ４は、所定のタイミングで、パケット情報＃１１を通信制御装置１０１へ送信する。パケット情報＃１１は、閲覧要求をＬＡＮ側へ送信したことを示すパケット情報ではない。このため、通信制御装置１０１は、閲覧要求ｂｒ１１の対象となるエンコーダｅｎｃ２が伝送装置ｔｄ４の配下にないと判断する。
【０１３１】
伝送装置ｔｄ１は、閲覧要求ｂｒ１１を受信すると、閲覧要求ｂｒ１１の対象となるエンコーダｅｎｃ２が自装置の配下にないため、ＷＡＮ２１０を介して、閲覧要求ｂｒ１１を他の伝送装置へ送信する。図７に示す例では、伝送装置ｔｄ１は、閲覧要求ｂｒ１１を伝送装置ｔｄ２へ送信している。これにより、伝送装置ｔｄ１には、閲覧要求をＷＡＮ側へ送信したことを示すパケット情報＃１２が記憶される。具体的に、例えば、パケット情報＃１２は、閲覧要求ｂｒ１１をＷＡＮ２１０により伝送装置ｔｄ２へ送信したことを示すパケット情報とすることができる。
【０１３２】
伝送装置ｔｄ１は、所定のタイミングで、パケット情報＃１２を通信制御装置１０１へ送信する。パケット情報＃１２は、閲覧要求をＬＡＮ側へ送信したことを示すパケット情報ではない。このため、通信制御装置１０１は、閲覧要求ｂｒ１１の対象となるエンコーダｅｎｃ２が伝送装置ｔｄ１の配下にないと判断する。
【０１３３】
伝送装置ｔｄ２は、閲覧要求ｂｒ１１を受信すると、閲覧要求ｂｒ１１の対象となるエンコーダｅｎｃ２が自装置の配下にあるため、ＬＡＮ２２２を介して、閲覧要求ｂｒ１１をエンコーダｅｎｃ２へ送信する。これにより、伝送装置ｔｄ２には、閲覧要求をＬＡＮ側へ送信したことを示すパケット情報＃１３が記憶される。具体的に、例えば、パケット情報＃１３は、閲覧要求ｂｒ１１をＬＡＮ２２２によりエンコーダｅｎｃ２へ送信したことを示すパケット情報とすることができる。
【０１３４】
伝送装置ｔｄ２は、所定のタイミングで、パケット情報＃１３を通信制御装置１０１へ送信する。パケット情報＃１３は、閲覧要求をＬＡＮ側へ送信したことを示すパケット情報である。このため、通信制御装置１０１は、閲覧要求ｂｒ１１の対象となるエンコーダｅｎｃ２が伝送装置ｔｄ２の配下にあると判断する。この場合、通信制御装置１０１は、エンコーダｅｎｃ２が伝送装置ｔｄ２の配下にあることを示す情報を記憶する。
【０１３５】
つづいて、デコーダｄｅｃ３が、例えばデコーダｄｅｃ３のユーザの操作に応じて、ＬＡＮ２２６を介して、閲覧要求ｂｒ１２を伝送装置ｔｄ６へ送信したとする。ここで、閲覧要求ｂｒ１２は、図７に示すように、エンコーダｅｎｃ３を対象とする閲覧要求である。
【０１３６】
伝送装置ｔｄ６は、閲覧要求ｂｒ１２を受信すると、閲覧要求ｂｒ１２の対象となるエンコーダｅｎｃ３が自装置の配下にないため、ＷＡＮ２１０を介して、閲覧要求ｂｒ１２を他の伝送装置へ送信する。図７に示す例では、伝送装置ｔｄ６は、閲覧要求ｂｒ１２を伝送装置ｔｄ３へ送信している。これにより、伝送装置ｔｄ６には、閲覧要求をＷＡＮ側へ送信したことを示すパケット情報＃１４が記憶される。具体的に、例えば、パケット情報＃１４は、閲覧要求ｂｒ１２をＷＡＮ２１０により伝送装置ｔｄ３へ送信したことを示すパケット情報とすることができる。
【０１３７】
伝送装置ｔｄ６は、所定のタイミングで、パケット情報＃１４を通信制御装置１０１へ送信する。パケット情報＃１４は、閲覧要求をＬＡＮ側へ送信したことを示すパケット情報ではない。このため、通信制御装置１０１は、閲覧要求ｂｒ１２の対象となるエンコーダｅｎｃ３が伝送装置ｔｄ６の配下にないと判断する。
【０１３８】
伝送装置ｔｄ３は、閲覧要求ｂｒ１２を受信すると、閲覧要求ｂｒ１２の対象となるエンコーダｅｎｃ３が自装置の配下にあるため、ＬＡＮ２２３を介して、閲覧要求ｂｒ１２をエンコーダｅｎｃ３へ送信する。これにより、伝送装置ｔｄ３には、閲覧要求をＬＡＮ側へ送信したことを示すパケット情報＃１５が記憶される。具体的に、例えば、パケット情報＃１５は、閲覧要求ｂｒ１２をＬＡＮ２２３によりエンコーダｅｎｃ３へ送信したことを示すパケット情報とすることができる。
【０１３９】
伝送装置ｔｄ３は、所定のタイミングで、パケット情報＃１５を通信制御装置１０１へ送信する。パケット情報＃１５は、閲覧要求をＬＡＮ側へ送信したことを示すパケット情報である。このため、通信制御装置１０１は、閲覧要求ｂｒ１２の対象となるエンコーダｅｎｃ３が伝送装置ｔｄ３の配下にあると判断する。この場合、通信制御装置１０１は、エンコーダｅｎｃ３が伝送装置ｔｄ３の配下にあることを示す情報を記憶する。
【０１４０】
その後、通信制御装置１０１は、災害情報サーバ２３０から受信した災害情報に基づいて、伝送装置ｔｄ３の設置地域で災害が発生していると判断したとする。この場合、通信制御装置１０１は、上記により記憶したエンコーダｅｎｃ３が伝送装置ｔｄ３の配下にあることを示す情報から、伝送装置ｔｄ３の配下にエンコーダｅｎｃ３があることを特定する。そして、通信制御装置１０１は、エンコーダｅｎｃ３からの映像を優先的に配信する。これにより、通信制御装置１０１は、前述したように、例えば、エンコーダｅｎｃ３から配信される映像の映像品質を高めるように制御したりする。
【０１４１】
（通信制御装置１０１が行う処理手順の一例）
つぎに、通信制御装置１０１が行う処理手順の一例について説明する。図８は、通信制御装置１０１が行う処理手順の一例を示すフローチャートである。図８に示すように、通信制御装置１０１は、伝送装置ｔｄ１〜ｔｄ６の各々の伝送装置ごとに、下記の処理を行う。
【０１４２】
まず、通信制御装置１０１は、今回の処理対象の伝送装置ｔｄｊ（ｊ＝１，２，…，６）からパケット情報を受信することにより、伝送装置ｔｄｊのパケット情報を収集する（ステップＳ８０１）。そして、通信制御装置１０１は、図８に示すように、ステップＳ８０１の処理によって収集されたパケット情報の各々のパケット情報ごとに、下記のステップＳ８０２〜ステップＳ８０４の処理を行う。
【０１４３】
通信制御装置１０１は、今回の処理対象のパケット情報が閲覧要求をＬＡＮ側へ送信したことを示すパケット情報であるか否かを判断する（ステップＳ８０２）。閲覧要求をＬＡＮ側へ送信したことを示すパケット情報であると判断した場合（ステップＳ８０２：Ｙｅｓ）、通信制御装置１０１は、このパケット情報の閲覧要求において対象となったエンコーダが該当伝送装置（伝送装置ｔｄｊ）の配下にあると判断する（ステップＳ８０３）。
【０１４４】
この場合、通信制御装置１０１は、前述したように、閲覧要求において対象となったエンコーダが伝送装置ｔｄｊの配下にあることを示す情報を記憶する。また、閲覧要求をＬＡＮ側へ送信したことを示すパケット情報であると判断した場合、通信制御装置１０１は、このパケット情報の閲覧要求において対象となったエンコーダ（該当エンコーダ）の閲覧数を「１」カウントアップする（ステップＳ８０４）。なお、閲覧要求をＬＡＮ側へ送信したことを示すパケット情報でないと判断した場合（ステップＳ８０２：Ｎｏ）、通信制御装置１０１は、ステップＳ８０３およびステップＳ８０４の処理を行わない。
【０１４５】
また、通信制御装置１０１は、ステップＳ８０１の処理によって収集されたパケット情報の各々のパケット情報ごとに、今回の処理対象のパケット情報が閲覧要求をＬＡＮ側から受信したことを示すパケット情報であるか否かを判断する処理を行ってもよい。このようにした場合、通信制御装置１０１は、閲覧要求をＬＡＮ側から受信したことを示すパケット情報であると判断すると、このパケット情報の閲覧要求を送信したデコーダが該当伝送装置（伝送装置ｔｄｊ）の配下にあると判断する。そして、通信制御装置１０１は、閲覧要求を送信したデコーダが該当伝送装置（伝送装置ｔｄｊ）の配下にあることを示す情報を記憶する。
【０１４６】
通信制御装置１０１は、ステップＳ８０１の処理によって収集されたパケット情報の各々のパケット情報ごとにステップＳ８０２〜ステップＳ８０４の処理を行った結果、閲覧数が所定の閾値よりも大きくなったか否かを判断する（ステップＳ８０５）。閾値よりも大きくなったと判断した場合（ステップＳ８０５：Ｙｅｓ）、通信制御装置１０１は、伝送装置ｔｄｊに対して、該当エンコーダの優先制御を実施させる（ステップＳ８０６）。ここで、該当エンコーダは、例えば、伝送装置ｔｄｊの配下のエンコーダであって、閾値よりも大きくなった閲覧数に対応するエンコーダである。
【０１４７】
ステップＳ８０６において、通信制御装置１０１は、例えば、伝送装置ｔｄｊへ、該当エンコーダから配信される映像の映像品質を高める旨の指示を送信する。さらに、ステップＳ８０６において、通信制御装置１０１は、伝送装置ｔｄｊ以外の伝送装置へ、配下のエンコーダから配信される映像の映像品質を下げる旨の指示を送信してもよい。
【０１４８】
また、ステップＳ８０６において、通信制御装置１０１は、例えば、任意のデコーダを配下に持つ伝送装置へ、該当エンコーダを対象とする閲覧要求の送信指示を送信してもよい。さらに、通信制御装置１０１は、任意のデコーダを配下に持つ伝送装置へ、該当エンコーダから配信された映像を拡大して表示させる旨の指示を送信してもよい。また、通信制御装置１０１は、任意のデコーダを配下に持つ伝送装置へ、該当エンコーダから配信された映像の表示時間を長くする旨の指示を送信してもよい。なお、閲覧数が閾値よりも大きくなっていないと判断した場合（ステップＳ８０５：Ｎｏ）、通信制御装置１０１は、ステップＳ８０６の処理を行わない。
【０１４９】
つづいて、通信制御装置１０１は、伝送装置ｔｄｊの設置地域に災害が発生しているか否かを判断する（ステップＳ８０７）。通信制御装置１０１は、災害情報サーバ２３０から受信した災害情報の災害地域を示す情報から、伝送装置ｔｄｊの設置地域に災害が発生しているか否かを判断する。
【０１５０】
伝送装置ｔｄｊの設置地域に災害が発生していると判断した場合（ステップＳ８０７：Ｙｅｓ）、通信制御装置１０１は、伝送装置ｔｄｊに対して、該当エンコーダの優先制御を実施させる（ステップＳ８０８）。ここで、該当エンコーダは、例えば、伝送装置ｔｄｊの配下のエンコーダ（例えば伝送装置ｔｄｊの配下の全エンコーダ）である。
【０１５１】
ステップＳ８０８において、通信制御装置１０１は、例えば、伝送装置ｔｄｊへ、該当エンコーダから配信される映像の映像品質を高める旨の指示を送信する。さらに、ステップＳ８０８において、通信制御装置１０１は、伝送装置ｔｄｊ以外の伝送装置へ、配下のエンコーダから配信される映像の映像品質を下げる旨の指示を送信してもよい。
【０１５２】
また、ステップＳ８０８において、通信制御装置１０１は、例えば、任意のデコーダを配下に持つ伝送装置へ、該当エンコーダを対象とする閲覧要求の送信指示を送信してもよい。さらに、ステップＳ８０８において、通信制御装置１０１は、任意のデコーダを配下に持つ伝送装置へ、該当エンコーダから配信された映像を拡大して表示させる旨の指示を送信してもよい。また、ステップＳ８０８において、通信制御装置１０１は、任意のデコーダを配下に持つ伝送装置へ、該当エンコーダから配信された映像の表示時間を長くする旨の指示を送信してもよい。
【０１５３】
なお、伝送装置ｔｄｊの設置地域に災害が発生していないと判断した場合（ステップＳ８０７：Ｎｏ）、通信制御装置１０１は、ステップＳ８０８の処理を行わない。
【０１５４】
このように、例えば、通信制御装置１０１は、各々の伝送装置により他の伝送装置へ送信されなかった閲覧要求数の計測結果から、需要の高い映像を配信しているエンコーダを推定し、このエンコーダからの映像を優先的に配信することができる。これにより、通信制御装置１０１は、優先して配信する映像を各々の映像の需要に応じて動的に変化させることができ、使用可能な帯域が限られたネットワーク（例えばＷＡＮ２１０）で効率的な映像配信を行うことができる。
【０１５５】
また、例えば、通信制御装置１０１は、閲覧要求をＬＡＮ側へ送信したことを示すパケット情報から、各々のエンコーダがいずれの伝送装置の配下にあるかを判断することができる。このため、通信制御装置１０１は、エンコーダの増設や設置場所の移動などによっていずれかの伝送装置配下のエンコーダが変更（すなわち通信制御システム２００のシステム構成が変更）された場合であっても、効率的な映像配信を行うことができる。
【０１５６】
また、例えば、通信制御システム２００では、通信制御装置１０１が各々のエンコーダがいずれの伝送装置の配下にあるかを自動的に判断することができる。このため、通信制御システム２００の管理者は、効率的な映像配信を行うために各々のエンコーダと各々の伝送装置との関係を管理する必要がない。これにより、通信制御システム２００の管理者の、効率的な映像配信を行うために各々のエンコーダと各々の伝送装置との関係を管理するための手間を削減することができる。
【０１５７】
以上に説明したように、通信制御装置１０１は、それぞれの伝送装置において他の伝送装置に送信しない配信の要求（閲覧要求）の数を計測し、計測した配信の要求の数に基づいて、それぞれの伝送装置に接続されたエンコーダからの映像の配信を制御する。これにより、通信制御装置１０１は、それぞれのエンコーダを対象とした配信の要求の数に応じて、それぞれのエンコーダから配信される映像の配信を制御することができる。したがって、通信制御装置１０１は、配信の要求の対象とされた回数の多いエンコーダからの映像を、配信の要求の対象とされた回数の少ないエンコーダからの映像よりも、優先して配信することができる。
【０１５８】
また、通信制御装置１０１は、計測した配信の要求の数に基づいて、それぞれの伝送装置に接続されたエンコーダから映像を配信する際の映像品質を制御してもよい。これにより、通信制御装置１０１は、配信の要求の対象とされた回数の多いエンコーダからの映像を、配信の要求の対象とされた回数の少ないエンコーダからの映像よりも、優先して配信することができる。
【０１５９】
また、通信制御装置１０１は、配信の要求の数が所定の値及び／又は所定の割合以上である伝送装置に接続されたエンコーダから映像を配信する際の映像品質を高めてもよい。これにより、通信制御装置１０１は、配信の要求の対象とされた回数の多いエンコーダから配信される映像の映像品質を高めて視認性の向上を図ることができる。
【０１６０】
また、通信制御装置１０１は、配信の要求の数が所定の値及び／又は所定の割合未満である伝送装置に接続されたエンコーダから映像を配信する際の映像品質を下げてもよい。これにより、通信制御装置１０１は、配信の要求の対象とされた回数の少ないエンコーダから配信される映像の映像品質を下げて、配信の要求の対象とされた回数の少ないエンコーダからの映像の配信に必要な帯域を減らすことができる。
【０１６１】
また、通信制御装置１０１は、計測した配信の要求の数に基づいて、それぞれの伝送装置に接続されたエンコーダから配信された映像の表示を制御してもよい。これにより、通信制御装置１０１は、配信の要求の対象とされた回数の多いエンコーダから配信された映像を、配信の要求の対象とされた回数の少ないエンコーダから配信された映像よりも、優先して表示させることができる。
【０１６２】
また、通信制御装置１０１は、計測した配信の要求の数が所定の値及び／又は所定の割合以上である伝送装置に接続されたエンコーダから配信された映像を拡大して表示させるようにしてもよい。これにより、通信制御装置１０１は、配信の要求の対象とされた回数の多いエンコーダから配信された映像を拡大して表示させることができ、配信の要求の対象とされた回数の多いエンコーダから配信された映像の視認性の向上を図ることができる。また、通信制御装置１０１は、配信の要求の対象とされた回数の多いエンコーダから配信された映像が表示されたことを、表示先のユーザに気づかせることができる。
【０１６３】
また、通信制御装置１０１は、計測した配信の要求の数が所定の値及び／又は所定の割合以上である伝送装置に接続されたエンコーダから配信された映像の表示時間を長くするようにしてもよい。これにより、通信制御装置１０１は、配信の要求の対象とされた回数の多いエンコーダから配信された映像を長く表示させることができ、配信の要求の対象とされた回数の多いエンコーダから配信された映像の視認性の向上を図ることができる。また、通信制御装置１０１は、配信の要求の対象とされた回数の多いエンコーダから配信された映像が表示されたことを、表示先のユーザに気づかせることができる。
【０１６４】
また、通信制御装置１０１は、それぞれの伝送装置において、配信の要求をＷＡＮ側ではなく、ＬＡＮ側へ送信した場合に、ＬＡＮ側に接続されたエンコーダをそれぞれの伝送装置に接続されたエンコーダとしてもよい。これにより、通信制御装置１０１は、それぞれのエンコーダが、いずれの伝送装置の配下にあるかを判断することができる。
【０１６５】
また、通信制御装置１０１は、それぞれの伝送装置の設置地域において災害が発生したか否かの判定結果に基づいて、それぞれの伝送装置に接続されたエンコーダからの映像の配信を制御してもよい。これにより、通信制御装置１０１は、災害地域に設置された可能性が高いエンコーダからの映像を、災害地域外に設置された可能性が高いエンコーダからの映像よりも、優先して配信することができる。
【０１６６】
また、通信制御装置１０１は、設置地域に災害が発生した伝送装置に接続されたエンコーダから映像を配信する際の映像品質を高めてもよい。これにより、通信制御装置１０１は、災害地域に設置された可能性が高いエンコーダから配信される映像の映像品質を高めて視認性の向上を図ることができる。
【０１６７】
また、通信制御装置１０１は、設置地域に災害が発生していない伝送装置に接続されたエンコーダから映像を配信する際の映像品質を下げてもよい。これにより、通信制御装置１０１は、災害地域に設置されていない可能性が高いエンコーダから配信される映像の映像品質を下げて、災害地域に設置されていない可能性が高いエンコーダからの映像の配信に必要な帯域を減らすことができる。
【０１６８】
以上のことから、実施の形態にかかる通信制御装置１０１によれば、配信の要求数に応じた映像の配信を行うことができる。
【０１６９】
なお、本実施の形態で説明した通信制御方法は、予め用意されたプログラムをパーソナル・コンピュータやワークステーションなどのコンピュータで実行することにより実現することができる。本通信制御プログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。また、本通信制御プログラムは、インターネットなどのネットワークを介して配布してもよい。
【０１７０】
上述した実施の形態に関し、さらに以下の付記を開示する。
【０１７１】
（付記１）複数のエンコーダからの映像の配信を制御する通信制御プログラムにおいて、
前記複数のエンコーダに含まれるエンコーダに対する映像の配信の要求を受け付けた場合に、前記複数のエンコーダに接続されたそれぞれの伝送装置において前記映像の配信の要求を他の伝送装置に送信したかどうかを判定し、
前記それぞれの伝送装置において、他の伝送装置に送信しない前記配信の要求の数を計測し、
計測した前記配信の要求の数に基づいて、前記それぞれの伝送装置に接続された前記エンコーダからの映像の配信を制御する、
処理をコンピュータに実行させることを特徴とする通信制御プログラム。
【０１７２】
（付記２）計測した前記配信の要求の数に基づいて、前記それぞれの伝送装置に接続されたエンコーダから映像を配信する際の映像品質を制御する処理を前記コンピュータに実行させることを特徴とする付記１に記載の通信制御プログラム。
【０１７３】
（付記３）前記映像品質を制御する処理は、
計測した前記配信の要求の数が所定の値及び／又は所定の割合以上である伝送装置に接続されたエンコーダから映像を配信する際の映像品質を高めることを特徴とする付記２に記載の通信制御プログラム。
【０１７４】
（付記４）前記映像品質を制御する処理は、
計測した前記配信の要求の数が所定の値及び／又は所定の割合未満である伝送装置に接続されたエンコーダから映像を配信する際の映像品質を下げることを特徴とする付記２または３に記載の通信制御プログラム。
【０１７５】
（付記５）計測した前記配信の要求の数に基づいて、前記それぞれの伝送装置に接続されたエンコーダから配信された映像の表示を制御する処理を前記コンピュータに実行させることを特徴とする付記１〜４のいずれか一つに記載の通信制御プログラム。
【０１７６】
（付記６）前記映像の表示を制御する処理は、
計測した前記配信の要求の数が所定の値及び／又は所定の割合以上である伝送装置に接続されたエンコーダから映像を拡大して表示させることを特徴とする付記５に記載の通信制御プログラム。
【０１７７】
（付記７）前記映像の表示を制御する処理は、
計測した前記配信の要求の数が所定の値及び／又は所定の割合以上である伝送装置に接続されたエンコーダから映像の表示時間を延長して表示させることを特徴とする付記５または６に記載の通信制御プログラム。
【０１７８】
（付記８）前記それぞれの伝送装置において、配信の要求をＷＡＮ側ではなく、ＬＡＮ側へ送信した場合に、前記ＬＡＮ側に接続されたエンコーダを前記それぞれの伝送装置に接続されたエンコーダとする処理を前記コンピュータに実行させることを特徴とする付記１〜７のいずれか一つに記載の通信制御プログラム。
【０１７９】
（付記９）計測した前記配信の要求の数が所定の値及び／又は所定の割合以上である場合に、前記それぞれの伝送装置に対応付けられたエンコーダから映像を配信する処理を前記コンピュータに実行させることを特徴とする付記１〜８のいずれか一つに記載の通信制御プログラム。
【０１８０】
（付記１０）前記それぞれの伝送装置の設置地域において災害が発生したか否かを判定し、
前記災害が発生したか否かの判定結果に基づいて、前記それぞれの伝送装置に接続された前記エンコーダからの映像の配信を制御する、
処理を前記コンピュータに実行させることを特徴とする付記１〜９のいずれか一つに記載の通信制御プログラム。
【０１８１】
（付記１１）前記災害が発生したか否かの判定結果に基づいて映像の配信を制御する処理は、
設置地域に災害が発生した伝送装置に接続されたエンコーダから映像を配信する際の映像品質を高めることを特徴とする付記１０に記載の通信制御プログラム。
【０１８２】
（付記１２）前記災害が発生したか否かの判定結果に基づいて映像の配信を制御する処理は、
設置地域に災害が発生していない伝送装置に接続されたエンコーダから映像を配信する際の映像品質を下げることを特徴とする付記１０または１１に記載の通信制御プログラム。
【０１８３】
（付記１３）複数のエンコーダからの映像の配信を制御する通信制御方法において、
前記複数のエンコーダに含まれるエンコーダに対する映像の配信の要求を受け付けた場合に、前記複数のエンコーダに接続されたそれぞれの伝送装置において前記映像の配信の要求を他の伝送装置に送信したかどうかを判定し、
前記それぞれの伝送装置において、他の伝送装置に送信しない前記配信の要求の数を計測し、
計測した前記配信の要求の数に基づいて、前記それぞれの伝送装置に接続された前記エンコーダからの映像の配信を制御する、
処理をコンピュータが実行することを特徴とする通信制御方法。
【０１８４】
（付記１４）複数のエンコーダからの映像の配信を制御する通信制御装置において、
前記複数のエンコーダに含まれるエンコーダに対する映像の配信の要求を受け付けた場合に、前記複数のエンコーダに接続されたそれぞれの伝送装置において前記映像の配信の要求を他の伝送装置に送信したかどうかを判定する判定部と、
前記それぞれの伝送装置において、他の伝送装置に送信しない前記配信の要求の数を計測する計測部と、
計測した前記配信の要求の数に基づいて、前記それぞれの伝送装置に接続された前記エンコーダからの映像の配信を制御する制御部と、
を有することを特徴とする通信制御装置。
【符号の説明】
【０１８５】
１０１  通信制御装置
２００  通信制御システム
２１０  ＷＡＮ
２２１〜２２６  ＬＡＮ
２３０  災害情報サーバ
ｔｄ１〜ｔｄ６  伝送装置
ｅｎｃ１〜ｅｎｃ３  エンコーダ
ｄｅｃ１〜ｄｅｃ３  デコーダ
【図１】
2018160788.tif 000003
【図２】
2018160788.tif 000004
【図３】
2018160788.tif 000005
【図４】
2018160788.tif 000006
【図５】
2018160788.tif 000007
【図６】
2018160788.tif 000008
【図７】
2018160788.tif 000009
【図８】
2018160788.tif 000010